(57)【特許請求の範囲】
【請求項１】
１以上の行から成る段落を、行方向である左右方向に複数個並べて作成可能な文書作成装置であって、
前記段落の最終行における最終文字にカーソルがある状態で、文字間を右方向に移動させるための右カーソルキーが押下された場合、新規段落を作成する新規段落作成部を備えたことを特徴とする文書作成装置。
【請求項２】
前記新規段落作成部は、前記カーソルがある対象段落に文字が入力されていない状態で、前記右カーソルキーが押下された場合、前記新規段落を作成しないことを特徴とする請求項１に記載の文書作成装置。
【請求項３】
前記新規段落作成部は、前記カーソルがある対象段落の次段落が存在しない場合、前記右カーソルキーの押下に伴って新規段落を作成することを特徴とする請求項１または２に記載の文書作成装置。
【請求項４】
前記対象段落の次段落が存在する場合であって、当該対象段落の最終行における最終文字に前記カーソルがある状態で、前記右カーソルキーが押下された場合、前記カーソルを次段落に移動させる段落間移動部をさらに備えたことを特徴とする請求項３に記載の文書作成装置。
【請求項５】
前記段落間移動部は、前記対象段落の前段落が存在する場合であって、当該対象段落の先頭位置にカーソルがある状態で、左カーソルキーが押下された場合、前記カーソルを前段落に移動させることを特徴とする請求項４に記載の文書作成装置。
【請求項６】
前記段落の各行に対応する文字列を、各行の行頭を揃えて縦一列に表示する編集画面表示部をさらに備え、
前記編集画面表示部は、各段落の行番号と、前記編集画面の表示行とが一致するように、各段落を左右方向に並べて表示することを特徴とする請求項１ないし５のいずれか１項に記載の文書作成装置。
【請求項７】
前記編集画面表示部は、前記新規段落作成部による新規段落の作成に伴って、前記カーソルがあった移動前段落の文字列表示領域の右側に、前記新規段落の入力開始位置を示す前記カーソルを表示することを特徴とする請求項６に記載の文書作成装置。
【請求項８】
印刷プレビュー画面を表示する印刷プレビュー画面表示部をさらに備え、
前記印刷プレビュー画面表示部は、前記新規段落作成部による新規段落の作成に伴って、前記カーソルがあった移動前段落のプレビュー表示領域の右側に、前記新規段落の作成位置を示す新規段落イメージを表示することを特徴とする請求項１ないし７のいずれか１項に記載の文書作成装置。
【請求項９】
請求項１ないし８のいずれか１項に記載の文書作成装置における各部と、
前記文書作成装置によって作成された文書をテープ上に印刷する印刷部と、を備えたことを特徴とするテープ印刷装置。
【請求項１０】
１以上の行から成る段落を、行方向である左右方向に複数個並べて作成可能な文書作成方法であって、
前記段落の最終行における最終文字にカーソルがある状態で、文字間を右方向に移動させるための右カーソルキーが押下された場合、新規段落を作成することを特徴とする文書作成方法。
【発明の詳細な説明】
【技術分野】
【０００１】
１以上の行から成る段落を、行方向である左右方向に複数個並べて作成可能な文書作成装置、テープ印刷装置、文書作成方法に関するものである。
【背景技術】
【０００２】
従来、１以上の行から成る段落を、行方向である左右方向に複数個並べて作成可能なテープ印刷装置が知られている。例えば、非特許文献１には、１つのラベルに複数の段落を設けることで、色々な行数を混在させたり、段落ごとにデザインを変えたりすることができる旨が記載されている。つまり、色々な行数・デザインの段落を、テープ長方向に複数個並べて配置することで、多種多様なラベルを作成できるようになっている。
【０００３】
ところで、非特許文献１の装置では、新規段落を作成する場合、既存の段落の最終文字にカーソルを合わせ、［シフト］キーと［改行］キーを同時押下する。このとき、編集画面では、既存の段落の文字列表示領域の下側に、新規段落の行頭マークを設け、当該行頭マークにカーソルが付された状態となる。つまり、改段落操作が行われた場合、段落内の改行操作が行われた場合と同様に、改段落操作前にカーソルがあった行の次の行から、新規段落の文字を入力するようになっている。
【先行技術文献】
【特許文献】
【０００４】
【非特許文献１】「テプラ」  ＰＲＯ  ＳＲ５５０取扱説明書  ２００９年７月第１版  株式会社キングジム  ｐ．４５−４６（段落を増やす（改段落））
【発明の概要】
【発明が解決しようとする課題】
【０００５】
ところが、上記のように、新規段落の作成を［シフト］キー＋［改行］キーで行う構成の場合、段落作成を初めて行うユーザーにとって操作が分かりづらいといった問題があった。何故なら、改段落を行うと、既存段落の右側に新規段落が作成されるため、直感的には編集位置が右方向へ移動するように感じるが、そのようなユーザーの感覚と、［シフト］キー＋［改行］キーの操作とが一致しないからである。このため、ユーザーは、新規段落を作成したい場合、わざわざ取扱説明書を参照して操作方法を確認しなければならず、不便であった。
【０００６】
本発明は、上記の問題点に鑑み、直感的な操作で新規段落の作成を行うことができる文書作成装置、テープ印刷装置、文書作成方法を提供することを目的とする。
【課題を解決するための手段】
【０００７】
本発明の文書作成装置は、１以上の行から成る段落を、行方向である左右方向に複数個並べて作成可能な文書作成装置であって、段落の最終行における最終文字にカーソルがある状態で、文字間を右方向に移動させるための右カーソルキーが押下された場合、新規段落を作成する新規段落作成部を備えたことを特徴とする。
【０００８】
本発明の文書作成方法は、１以上の行から成る段落を、行方向である左右方向に複数個並べて作成可能な文書作成方法であって、段落の最終行における最終文字にカーソルがある状態で、文字間を右方向に移動させるための右カーソルキーが押下された場合、新規段落を作成することを特徴とする。
【０００９】
これらの構成によれば、右カーソルキーの押下によって新規段落の作成を行うため、改段落の操作と、新規段落の作成位置とがリンクする。これにより、初心者であっても、取扱説明書を参照することなく、直感的な操作で新規段落を作成することができる。
【００１０】
上記の文書作成装置において、新規段落作成部は、カーソルがある対象段落に文字が入力されていない状態で、右カーソルキーが押下された場合、新規段落を作成しないことを特徴とする。
【００１１】
この構成によれば、操作に不慣れなユーザーが、右カーソルキーを連続して押下した場合に、ユーザーの意図に反して、不必要に新規段落が作成され続けることを防止できる。
【００１２】
上記の文書作成装置において、新規段落作成部は、カーソルがある対象段落の次段落が存在しない場合、右カーソルキーの押下に伴って新規段落を作成することを特徴とする。
【００１３】
上記の文書作成装置において、対象段落の次段落が存在する場合であって、当該対象段落の最終行における最終文字にカーソルがある状態で、右カーソルキーが押下された場合、カーソルを次段落に移動させる段落間移動部をさらに備えたことを特徴とする。
【００１４】
これらの構成によれば、新規段落の作成と次段落への移動とを同様の操作で行うことができる。また、いずれも直感的な操作で分かり易い。
【００１５】
上記の文書作成装置において、段落間移動部は、対象段落の前段落が存在する場合であって、当該対象段落の先頭位置にカーソルがある状態で、左カーソルキーが押下された場合、カーソルを前段落に移動させることを特徴とする。
【００１６】
この構成によれば、次段落への移動と前段落への移動という正反対の動作を、それぞれ右カーソルキーと左カーソルキーの押下で実現するため、操作が分かり易い。
【００１７】
上記の文書作成装置において、段落の各行に対応する文字列を、各行の行頭を揃えて縦一列に表示する編集画面表示部をさらに備え、編集画面表示部は、各段落の行番号と、編集画面の表示行とが一致するように、各段落を左右方向に並べて表示することを特徴とする。
【００１８】
上記の文書作成装置において、編集画面表示部は、新規段落作成部による新規段落の作成に伴って、カーソルがあった移動前段落の文字列表示領域の右側に、新規段落の入力開始位置を示すカーソルを表示することを特徴とする。
【００１９】
これらの構成によれば、各段落の行番号と、編集画面の表示行とが一致するように、各段落を左右方向に並べて表示するため、段落の作成位置と編集位置とがリンクする。また、新規段落の作成に伴って、移動前段落の文字列表示領域の右側に、新規段落の入力開始位置を示すカーソルを表示するため、操作に不慣れなユーザーであっても、直感的な操作で新規段落を作成することができる。
【００２０】
上記の文書作成装置において、印刷プレビュー画面を表示する印刷プレビュー画面表示部をさらに備え、印刷プレビュー画面表示部は、新規段落作成部による新規段落の作成に伴って、カーソルがあった移動前段落のプレビュー表示領域の右側に、新規段落の作成位置を示す新規段落イメージを表示することを特徴とする。
【００２１】
この構成によれば、印刷プレビュー画面上において、新規段落の作成位置を示す新規段落イメージを表示するため、ユーザーは、これから作成する段落がどの位置に配置されるのかを、文字入力前に把握することができる。
【００２２】
本発明のテープ印刷装置は、上記の文書作成装置における各部と、文書作成装置によって作成された文書をテープ上に印刷する印刷部と、を備えたことを特徴とする。
【００２３】
この構成によれば、直感的な操作で新規段落の作成を行うことができ、複数の段落を１つのテープ上に配置することで多種多様なラベルを作成可能なテープ印刷装置を実現できる。
【図面の簡単な説明】
【００２４】
【図１】第１実施形態に係るテープ印刷装置の外観斜視図である。
【図２】テープ印刷装置の制御ブロック図である。
【図３】段落編集に係る処理手順を示す画面遷移図である。
【図４】図３に続く、画面遷移図である。
【図５】図４に続く、画面遷移図である。
【図６】（ａ）は、段落の分割方法を示す画面遷移図であり、（ｂ），（ｃ）は、画面表示の変形例を示す図である。
【発明を実施するための形態】
【００２５】
以下、本発明の一実施形態について、添付図面を参照しながら詳細に説明する。本実施形態では、請求項における「文書作成装置」を、テープ上に印刷を行うテープ印刷装置に適用した場合について説明する。図１は、本実施形態に係るテープ印刷装置１の開閉蓋２１を開いた状態の外観斜視図である。図１に示すようにテープ印刷装置１は、装置ケース２により外郭が形成され、装置ケース２の前部上面には各種入力キーを備えたキーボード３が配置されると共に、後部上面には、その左部に開閉蓋２１が取り付けられ、その右部には表示画面４１が配設されている。
【００２６】
開閉蓋２１の内側にはテープカートリッジＣを装着するためのカートリッジ装着部６が窪入形成されており、テープカートリッジＣは、開閉蓋２１を開放した状態でカートリッジ装着部６に着脱可能に装着される。また、開閉蓋２１にはこれを閉じた状態でテープカートリッジＣの装着／非装着を視認するための覗き窓２１ａが形成されている。
【００２７】
キーボード３には、文字キー群３ａ、および各種動作モード等を指定するための機能キー群３ｂが配列されている。文字キー群３ａは、ＪＩＳ配列に基づいたフルキー構成であり、操作するキー数の増加を抑えるための［シフト］キーを備えるなど、一般のワードプロセッサー等と同様である。また、機能キー群３ｂには、［印刷］キー、［カーソル］キーおよび［選択（改行）］キーなどが含まれる。
【００２８】
［印刷］キーは、印刷を実行させるためのキーである。ユーザーは、文字キー群３ａによる情報入力後、［印刷］キーを押下することで、入力情報（作成された文書）に基づく印刷を実行させる。［カーソル］キーは、上下左右キー（上カーソルキー、下カーソルキー、左カーソルキー、右カーソルキー）から成り、カーソル移動やスクロール操作を行うためのキーである。本実施形態は、このカーソルキーを用いて新規段落の作成や段落間の移動を行うことを特徴とする。詳細については、後述する。なお、上下左右キーは、以下［↑］キー、［↓］キー、［←］キー、［→］キーと表記する。また、［選択（改行）］キーは、選択操作や改行操作を行うためのキーであり、以下［改行］キーと表記する。
【００２９】
表示画面４１は、液晶ディスプレーであり、ユーザーが、キーボード３を用いて入力した入力情報に基づく編集結果や、当該編集結果に基づいて生成された印刷データ等を確認するために用いられる。
【００３０】
装置ケース２の左側部には、カートリッジ装着部６と外部とを連通するテープ排出口２２が形成され、このテープ排出口２２には、不図示のテープ搬送機構により送り出したテープＴを切断するためのテープカッター２３が臨んでいる。そして、テープ排出口２２から印刷済みのテープＴが所定長さだけ送り出され、送りを一旦停止させた状態で、この印刷済みのテープＴがテープカッター２３により切断されて、短冊状のラベルＬ（図５参照）を作成する。
【００３１】
一方、カートリッジ装着部６には、ヘッドカバー６１ａ内にサーマルタイプの印刷ヘッド７が内蔵されたヘッドユニット６１と、印刷ヘッド７に対峙するプラテン駆動軸６２と、後述のインクリボンＲを巻き取る巻き取り駆動軸６３と、後述のテープリール１７の位置決め突起６４とを備えている。また、カートリッジ装着部６の下側には、テープ搬送機構となるプラテン駆動軸６２および巻き取り駆動軸６３を回転させるテープ送りモーター２６（図２参照）が内蔵されている。
【００３２】
テープカートリッジＣは、カートリッジケース５１内部の上部中央部に、一定の幅（４ｍｍ〜４８ｍｍ程度）のテープＴを巻回したテープリール１７と、右下部にインクリボンＲを巻回したリボンリール１９とを収容して構成されており、テープＴとインクリボンＲは同じ幅で構成されている。また、テープリール１７の左下部には前記ヘッドユニット６１を覆うヘッドカバー６１ａが差し込まれるための貫通孔５５が形成されている。さらに、貫通孔５５に差し込まれたヘッドユニット６１と、プラテン駆動軸６２に嵌合されて回転駆動するプラテンローラー５３とは、テープＴとインクリボンＲとが重なる部分に対応して配置されている。一方、リボンリール１９に近接してリボン巻き取りリール５４が配置され、リボンリール１９から繰り出されたインクリボンＲは、ヘッドカバー６１ａを周回するように、リボン巻き取りリール５４に巻き取られるようになっている。つまり、貫通孔５５の周壁のリボン走行路を経由して、リボン巻き取りリール５４に巻き取られるようになっている。
【００３３】
テープカートリッジＣがカートリッジ装着部６に装着されると、ヘッドカバー６１ａに貫通孔５５が、位置決め突起６４にテープリール１７の中心孔が、巻き取り駆動軸６３にリボン巻き取りリール５４の中心孔がそれぞれ差し込まれ、テープＴおよびインクリボンＲを挟み込んで印刷ヘッド７がプラテンローラー５３に当接して印刷が可能になる。その後、ユーザーが表示画面４１の編集結果を確認しながらキーボード３を用いて所望の文書（文字、数字、記号、簡易図形などのテキスト情報）や画像を入力し、印刷を指示すると、テープ印刷装置１は、テープ送りモーター２６によりテープカートリッジＣからテープＴを繰り出し、印刷ヘッド７の発熱素子を選択的に発熱させる印字動作によりテープＴに印刷を行う。テープＴの印刷済み部分はテープ排出口２２から随時外部に送り出され、印刷を完了すると、テープ送りモーター２６により、余白分を含むテープ長さの位置までテープＴの送りを行い停止する。その後、カッターモーター２５（図２参照）により、テープカッター２３を駆動し、テープＴをその幅方向に切断する。
【００３４】
一方、テープＴは、裏面に粘着剤層が形成された記録テープＴａと、この粘着剤層により記録テープＴａに貼り付けられた剥離テープＴｂとから構成されている。そして、テープＴは、記録テープＴａを外側にし、且つ剥離テープＴｂを内側にしてロール状に巻回されてカートリッジケース５１内に収容されている。また、テープＴは、テープ種別（テープ幅、テープの地色、地模様、材質など）が異なる複数種のものが用意されており、各カートリッジケース５１には、このうち１種類のテープＴ（およびインクリボンＲ）が収容されている。また、カートリッジケース５１の裏面にはテープカートリッジＣの種別を特定する複数の孔（図示省略）が設けられている。また、複数の孔に対応してカートリッジ装着部６には、これらを検出するテープ識別センサー（マイクロスイッチ等）２７（図２参照）が、複数設けられており、このテープ識別センサー２７により複数の孔の状態を検出することで、テープ種別を判別できるようになっている。
【００３５】
次に、図２の制御ブロック図を参照し、テープ印刷装置１の制御構成について説明する。テープ印刷装置１は、ＣＰＵ（Central  Processing  Unit）８１、ＲＡＭ（Random  Access  Memory）８２、ＲＯＭ（Read  Only  Memory）８３、表示画面４１、キーボード３、カッターモーター２５、テープカッター２３、テープ送りモーター２６、印刷ヘッド７およびテープ識別センサー２７を備えている。これらのうち、ＲＡＭ８２およびＲＯＭ８３は、ＣＰＵ８１とバス８５を介して接続され、その他の構成要素はＣＰＵ８１と直接接続されている。
【００３６】
ＣＰＵ８１は、中央処理装置であり、新規段落作成部８１ａおよび段落間移動部８１ｂとして機能する。なお、「段落」とは、行の集合体（または１行）を指し、各種スタイル（装飾や配置構成）を指定する単位である。また、段落内の文字挿入や行数増加が他の段落に影響を与えない点で、「ページ」の概念とは異なる。なお、「段落」を単位として指定可能なスタイルとしては、飾り枠や表組みを指定する「外枠・表」、前揃え、中揃え、均等割付け、後揃えなど各行の割付け位置を指定する「割付け」、白抜き、影文字、白抜影などの装飾を施す「飾り字」、文字の間隔を指定する「文字間」、訂正線、下線、網掛け、囲みの装飾を施す「囲・網」、文字を伸縮して変形する「伸・縮」、斜体、強調、斜強調の装飾を施す「斜・強調」、縦書きまたは横書きを指定する「縦・横」、各行の文字サイズを指定する「文字サイズ」、漢字、かな、英数字の書体を指定する「書体」などが挙げられる。
【００３７】
新規段落作成部８１ａは、段落の最終行における最終文字にカーソルＫ（図３等参照）がある状態で［→］キーが押下された場合に新規段落を作成する。但し、新規段落の作成は、カーソルＫがある対象段落の次段落が存在しない場合のみである。対象段落の次段落が存在する場合に［→］キーが押下されると、段落間移動部８１ｂにより次段落への移動を行う。また、新規段落の作成は、カーソルＫがある対象段落に文字が入力されている場合のみである。これにより、操作に不慣れなユーザーが［→］キーを連続して押下した場合に、不必要に新規段落が作成され続けることを防止できる。また、段落間移動部８１ｂは、対象段落の前段落が存在する場合であって、当該対象段落の先頭位置（１行目の行頭マーク）にカーソルＫがある状態で［←］キーが押下された場合、前段落への移動を行う。
【００３８】
ＲＡＭ８２は、ＣＰＵ８１が各種制御を行う際のワークエリアとして用いられる。ＲＯＭ８３は、ＣＰＵ８１が各種制御を行うための制御プログラムおよび制御情報を記憶している。制御プログラムとしては、段落の編集を行うための段落編集プログラム、表示画面４１の表示制御を行うための表示制御プログラム、印刷処理および切断処理を行うための印刷／切断処理プログラム等を記憶している（図示省略）。
【００３９】
表示画面４１は、編集画面表示部４１ａおよび印刷プレビュー画面表示部４１ｂとして機能する。編集画面表示部４１ａは、キーボード３による入力情報およびその編集結果を示す編集画面Ｄｂを表示する（図３の画面Ｄ０１参照）。また、編集画面表示部４１ａは、段落の各行に対応する文字列を、各行の行頭を縦一列に揃えて表示すると共に、各段落の行番号と、編集画面Ｄｂの表示行とが一致するように、各段落を左右方向に並べて表示する。印刷プレビュー画面表示部４１ｂは、編集画面Ｄｂの編集結果に基づく印刷データを示す印刷プレビュー画面Ｄａを表示する（図３の画面Ｄ０１参照）。また、印刷プレビュー画面表示部４１ｂは、新規段落作成部８１ａによる新規段落の作成に伴って、カーソルＫがあった移動前段落のプレビュー表示領域９１の右側に、新規段落の作成位置を示す新規段落イメージ９２を表示する（図３の画面Ｄ０２参照）。
【００４０】
キーボード３は、情報入力部、編集処理を行うための編集部、各種設定を行うための設定部、印刷指示を行うための印刷指示部、などとして機能する。また、［→］キーは、改段落操作部および段落間移動操作部（右側段落への移動）として機能し、［←］キーは、段落間移動操作部（左側段落への移動）として機能する。
【００４１】
カッターモーター２５は、テープカッター２３と接続され、切断部として機能する。また、テープ送りモーター２６および印刷ヘッド７は、テープＴを搬送しながら当該テープＴ上に印刷を行う印刷部として機能する。また、上記のとおり、印刷ヘッド７およびテープ識別センサー２７は、カートリッジ装着部６に設けられ、テープ識別センサー２７は、テープカートリッジＣに収容されたテープＴの種別を検出する。ＣＰＵ８１は、このテープ識別センサー２７の検出結果に基づいて（テープの幅や材質等に基づいて）、入力情報として入力可能な行数、文字数および文字サイズの制限、切断可能か否かの判別などを行う。その他、ＣＰＵ８１は、キーボード３から入力された指示にしたがって、表示画面４１の表示制御、並びに印刷ヘッド７、カッターモーター２５、テープ送りモーター２６の駆動制御を行う。
【００４２】
次に、図３ないし図６の画面遷移図を参照し、段落編集に係る各種処理について説明する。なお、以下に示す例では、段落に対し、「文字サイズ」として、各行を同じサイズに設定する「均等」、「割付け」として「前揃え」、「縦・横」として「横書き」が指定されているものとして説明する。また、段落は、２段落まで作成できるものとする。
【００４３】
まず、図３の画面Ｄ０１は、文字［ＡＢＣ］、［改行］キー、文字［ＤＥ］を入力した場合の表示例を示している。また、表示画面４１の画面上部は印刷プレビュー画面Ｄａであり、テープＴのイメージ（黒塗り領域）および印刷データ（白抜き文字）を示している。また、表示画面４１の画面下部は編集画面Ｄｂであり、行頭マークに続けて２行分の文字列を表示可能となっている。行頭マークは、行数を示す白抜き数字を、黒塗り四角で囲ったものである。但し、文字入力されていない行については、行数を示す黒色数字を、白抜き四角枠で囲った表示となる（画面Ｄ０２等参照）。また、編集画面Ｄｂは、編集位置を示すカーソルＫ（縦１本の線）を、編集対象となる文字の右側に表示する。つまり、画面Ｄ０１では、文字「Ｅ」に対してカーソルＫが付加されている。
【００４４】
画面Ｄ０１に示すように、カーソルＫが第１段落の最終行における最終文字に付加されている状態（カーソルＫが第１段落の最終位置にある状態）で、［→］キーが押下されると、新規段落を作成し、画面Ｄ０２の状態となる。つまり、［→］キーの押下によって改段落が行われたことを意味する。改段落が行われると、編集画面Ｄｂには、カーソルＫがあった移動前段落（第１段落）の文字列表示領域９３（第１段落の文字列群を囲む矩形領域）の右側に、新規段落（第２段落）の入力開始位置を示すカーソルＫを表示する。このとき、第１段落の１行目と同じ行に、第２段落の１行目の行頭マークを表示し、当該行頭マークにカーソルＫを付加する。また、第１段落の文字列表示領域９３と第２段落の行頭マークとの間には、１文字分のスペースを挿入する。一方、印刷プレビュー画面表示部４１ｂには、改段落に伴って、第１段落のプレビュー表示領域９１（第１段落の文字列群を囲む矩形領域）の右側に、新規段落の作成位置を示す新規段落イメージ９２を表示する。新規段落イメージ９２は、同図に示すような点線枠、または点線枠が回転する回転囲み線として表示され、新規段落に文字が入力された時点で非表示となる。
【００４５】
続いて、画面Ｄ０２の状態から［→］キーが押下されると、画面Ｄ０３に示すように、表示データを一瞬非表示とする。これにより、ユーザーに対し警告を促す。以下、当該非表示画面を「警告画面」と称する。警告画面を表示した後は、画面Ｄ０２の状態に戻る（画面Ｄ０４）。このように、本実施形態では、カーソルＫがある対象段落（第２段落）に何ら文字が入力されていない状態で、[→]キーが押下された場合、新規段落を作成しない構成となっている。もちろん、第１段落にカーソルＫがあり、第１段落に何ら文字が入力されていない状態で、[→]キーが押下された場合も、新規段落を作成しない。なお、本実施形態の場合、最大２段落までしか作成できないため、仮に第２段落に文字が入力されている場合も、[→]キーの押下に伴い、警告画面を表示することになる。
【００４６】
例えば、画面Ｄ０４の状態から、文字［ＦＧＨ］、[改行]キー、[ＩＪＫ]が押下されると、図４の画面Ｄ０５に示す状態となる。画面Ｄ０５に示すように、第２段落の最終行における最終文字（最終位置，文字「Ｋ」）にカーソルＫが付加されている状態で［→］キーが押下されると、２段落を超える段落の作成はできないため、警告画面（画面Ｄ０６）を表示する。警告画面を一瞬表示した後は、元の画面（画面Ｄ０５）に戻る（画面Ｄ０７）。
【００４７】
また、画面Ｄ０７の状態から、[↑]キーが１回、[←]キーが３回押下されると、当該押下に伴ってカーソルＫを移動し、画面Ｄ０８に示すように、第２段落の１行目における行頭マークにカーソルＫを付加する。このように、第２段落の先頭位置にカーソルＫが付加されている状態で［←］キーが押下されると、図５の画面Ｄ０９に示すように、第１段落の最終位置にカーソルＫを移動する。逆に、第１段落の最終位置にカーソルＫが付加されている状態で［→］キーが押下されると、画面Ｄ１０に示すように、第２段落の先頭位置にカーソルＫを移動する。これは、カーソルＫがある対象段落（第１段落）の次段落（第２段落）が存在する場合、［→］キーの押下を、改段落操作と看做さず、段落間移動操作と看做すためである。
【００４８】
なお、第１段落と第２段落の間に新規段落を作成したい場合（但し、この場合は、段落を３段落以上作成できることが前提である）は、画面Ｄ０９の状態から[シフト]キーと[改行]キーを同時押下することにより、新規段落の追加が可能である（画面Ｄ１１）。この場合、印刷プレビュー画面表示部４１ｂには、第１段落のプレビュー表示領域９１の右側且つ旧第２段落（新第３段落）のプレビュー表示領域９５の左側に、新規段落の作成位置を示す新規段落イメージ９２を表示する。また、編集画面Ｄｂには、第１段落の文字列表示領域９３の右側且つ旧第２段落（新第３段落）の文字列表示領域９６の左側に、新規段落（第２段落）の入力開始位置を示すカーソルＫを表示する。
【００４９】
また、例えば画面Ｄ０９の状態から[印刷]キーが押下されると、入力情報に基づいて算出されたテープ長（長さ）、テープ識別センサー２７の検出結果に基づくテープ幅（幅）および印刷枚数を表示し（画面Ｄ１２）、印刷後、画面Ｄ０９に戻る。なお、このとき作成されるラベルＬは、同図に示すとおりであり、画面Ｄ０９に示す印刷プレビュー画面Ｄａの表示と略同様となる。
【００５０】
また、段落を分割したい場合は、図６（ａ）の画面Ｄ１３に示すように、段落の途中（段落の先頭位置（１行目の行頭マーク）と、段落の最終位置以外）にカーソルＫがある状態から[シフト]キーと[改行]キーを同時押下することにより、段落の途中で改段落を行うことができる（画面Ｄ１４）。この場合、カーソルＫが付加された文字（文字「Ａ」）を最終文字として対象段落（第１段落）を編集し、カーソルＫが付加された文字の次の文字（文字「Ｂ」）を先頭文字として次段落（第２段落）を作成する。また、第１段落の文字列表示領域９３の右側、且つ第２段落の先頭位置にカーソルＫを付加する。また、印刷プレビュー画面表示部４１ｂでは、第１段落の行数が２行から１行に変更となったことに伴い、第１段落の文字（文字「Ａ」）のサイズが拡大表示される。
【００５１】
なお、編集画面Ｄｂの表示は、以下の変形例を採用しても良い。例えば、上記の例では、第１段落と第２段落の間に、１文字分のスペースを挿入したが（画面Ｄ１４等参照）、図６（ｂ）に示すように、段落間のスペースを省略しても良い。つまり、第１段落の文字列表示領域９３と第２段落の文字列表示領域９４とを、左右方向において近接させた状態で配置しても良い。この構成によれば、表示画面４１が小さい場合、できるだけ多くの文字情報を表示できるため利便性が良い。
【００５２】
また、上記の例では、カーソルＫを縦一本の線で示したが（画面Ｄ１４等参照）、図６（ｃ）に示すように、横一本の線で示しても良い。この場合、編集対象となる文字の下側にカーソルＫを付加する。また、改段落や段落間移動が行われた場合などは、先頭位置（１行目の行頭マーク）にカーソルＫを付加する。
【００５３】
以上説明したとおり、本実施形態によれば、段落の最終位置にカーソルＫがある状態で[→]キーが押下された場合、新規段落の作成を行うため、改段落の操作と、新規段落の作成位置とがリンクする。これにより、初心者であっても、取扱説明書を参照することなく、直感的な操作で新規段落を作成することができる。また、編集画面Ｄｂでは、各段落の行番号と、編集画面Ｄｂの表示行とが一致するように、各段落を左右方向に並べて表示するため、段落の作成位置と編集位置とがリンクする。さらに、編集画面Ｄｂでは、新規段落の作成に伴って、移動前段落の文字列表示領域の右側に、新規段落の入力開始位置を示すカーソルＫを表示するため（図３の画面Ｄ０２等参照）、操作キーと編集位置の変化が一致し、より直感的に操作ができる。
【００５４】
また、印刷プレビュー画面Ｄａでは、新規段落の作成位置を示す新規段落イメージ９２を表示するため（図３の画面Ｄ０２等参照）、ユーザーは、これから作成する段落がどの位置に配置されるのかを、文字入力前に把握することができる。
【００５５】
また、新規段落の作成は、カーソルＫがある対象段落に文字が入力されている場合に限られるため、操作に不慣れなユーザーが、[→]キーを連続して押下した場合に、ユーザーの意図に反して、不必要に新規段落が作成され続けることがない。
【００５６】
また、対象段落の最終位置にカーソルＫがある状態で、[→]キーが押下された場合、対象段落の次段落が存在するか否かを判別し、存在しない場合、新規段落を作成し、存在する場合、次段落にカーソルＫを移動するため、新規段落の作成と次段落への移動とを同様の操作で行うことができる。また、いずれも直感的な操作で行うことができ、操作が分かり易い。
【００５７】
なお、上記の実施形態では、対象段落の最終位置にカーソルＫがある状態で、[→]キーが押下された場合であって、対象段落の次段落が存在しない場合に、新規段落を作成したが、[→]キーだけでなく、[シフト]キーと[改行]キーが同時押下された場合も新規段落を作成しても良い。この構成によれば、従来の操作に慣れたユーザーであっても、支障なくテープ印刷装置１を操作できる。
【００５８】
また、対象段落の最終行以外の最終文字にカーソルＫがある状態で、[→]キーが押下された場合も、次段落への移動を可能としても良い。例えば、図４の画面Ｄ０５において、第１段落の文字「Ｃ」にカーソルＫが付加されている状態で、[→]キーが押下された場合、カーソルＫを第２段落の１行目の行頭マークに移動させても良い。さらに、対象段落の先頭行以外の最終文字（例えば、第１段落の文字「Ｅ」）にカーソルＫが付加されている状態で、[→]キーが押下された場合、カーソルＫを第２段落の同一行（２行目）における行頭マークに移動させても良い。
【００５９】
また、カーソルＫがある対象段落の次段落が存在しない場合だけでなく、存在する場合も、[→]キーの押下に伴って新規段落を作成しても良い。この場合、次段落への移動は、[→]キー以外の他のキー、若しくは[→]キーと他のキーとの同時押下によって行われる。
【００６０】
また、上記の実施形態では、印刷プレビュー画面Ｄａと編集画面Ｄｂを、表示画面４１上に同時表示するものとしたが、画面切替によってそれぞれ個別に表示可能としても良い。また、編集画面Ｄｂの下側に印刷プレビュー画面Ｄａを表示したり、編集画面Ｄｂの右側に印刷プレビュー画面Ｄａを表示したりするなど、印刷プレビュー画面Ｄａと編集画面Ｄｂの配置も、上記の実施形態に限定されるものではない。
【００６１】
また、上記の各実施形態に示した、テープ印刷装置１の各構成要素をプログラムとして提供することが可能である。また、そのプログラムを各種記録媒体（ＣＤ−ＲＯＭ、フラッシュメモリー等）に格納して提供することも可能である。すなわち、コンピューターを、テープ印刷装置１の各部として機能させるためのプログラム、およびそれを記録した記録媒体も、本発明の権利範囲に含まれるものである。その他、本発明の文書作成方法（段落編集処理）を、パーソナルコンピューターや携帯情報端末など、テープ印刷装置１以外の電子機器に適用しても良い。その他、本発明の要旨を逸脱しない範囲で、適宜変更が可能である。
【符号の説明】
【００６２】
１…テープ印刷装置  ３…キーボード  ７…印刷ヘッド  ４１…表示画面  ８１…ＣＰＵ  ８２…ＲＡＭ  ８３…ＲＯＭ  ９１，９５…プレビュー表示領域  ９２…新規段落イメージ  ９３，９４，９６…文字列表示領域  Ｄａ…印刷プレビュー画面  Ｄｂ…編集画面  Ｋ…カーソル  Ｌ…ラベル  Ｔ…テープ
【図１】
0005772414.tif 000002
【図２】
0005772414.tif 000003
【図３】
0005772414.tif 000004
【図４】
0005772414.tif 000005
【図５】
0005772414.tif 000006
【図６】
0005772414.tif 000007